(57)【要約】【課題】  本発明は、特別な工具を使用せずにシート保持トレイを装置本体に簡単に装着可能なシート搬送装置を提供する。【解決手段】  長尺状のシートＳ１を搬送する給送ローラ３０を有するシート搬送装置において、装置本体３ａの天面カバー９１に設けられた凹部１０１Ｌ、１０１Ｒ，１０１Ｂ，１０１Ｆと、凹部１０１Ｌ、１０１Ｒ，１０１Ｂ，１０１Ｆに対して係合可能な取付部１１１を有する補助トレイ１１０と、を有することを特徴とする。【選択図】      図８
2020183304.tif 000002
【特許請求の範囲】
【請求項１】
シートを搬送する搬送部を有するシート搬送装置において、
装置本体の外装部に設けられた、くびれ形状部と、
前記くびれ形状部に対して係合可能な無端状の輪っか形状部を有するシート保持トレイと、
を有することを特徴とするシート搬送装置。
【請求項２】
前記シート保持トレイは、シートを前記装置本体の内部に給送する給送部に設けられることを特徴とする請求項１に記載のシート搬送装置。
【請求項３】
前記シート保持トレイは、シートを前記装置本体から外部に排出する排出部に設けられることを特徴とする請求項１に記載のシート搬送装置。
【請求項４】
前記外装部に操作部が設けられ、
前記くびれ形状部は、前記装置本体の外装面と前記操作部との間に設けられた凹部により形成されていることを特徴とする請求項１〜３のいずれか１項に記載のシート搬送装置。
【請求項５】
前記操作部は、表示パネルまたは操作キーのうちの少なくとも１つを有し、
前記輪っか形状部を前記くびれ形状部に係合して前記シート保持トレイを前記装置本体に取り付けた状態において、前記シート保持トレイは、前記表示パネルまたは前記操作キーと重ならないことを特徴とする請求項４に記載のシート搬送装置。
【請求項６】
前記装置本体に対して開閉可能な扉を有し、
前記輪っか形状部を前記くびれ形状部に係合して前記シート保持トレイを前記装置本体に取り付けた状態において、前記シート保持トレイは、前記扉の動作領域と重ならないことを特徴とする請求項１〜５のいずれか１項に記載のシート搬送装置。
【請求項７】
前記シート保持トレイは、
シートを重力方向に支持する支持部と、
シートの搬送方向と直交する一端部を規制する第一の規制部と、
シートの搬送方向に沿った側端部の位置を規制する第二の規制部と、
を有することを特徴とする請求項１〜６のいずれか１項に記載のシート搬送装置。
【請求項８】
請求項１〜７のいずれか１項に記載のシート搬送装置と、
シートに画像を形成する画像形成部と、
を有することを特徴とする画像形成装置。
【発明の詳細な説明】
【技術分野】
【０００１】
本発明は、複写機、プリンタ等の画像形成装置、及びシートを搬送するシート搬送装置に関するものである。
【背景技術】
【０００２】
画像形成装置において、画像転写媒体として紙が広く使用されている。一般的に紙束の１パック程を収納可能なカセット給送部と、多くの使用用途に応じて多品種の紙送りに対応したマルチ給送部が設けられることがある。マルチ給送部は、様々な紙サイズに対応するために折りたたんで収納されたトレイを展開することで積載面積を広げたり、紙保持部材を追加設置して積載面積を広げたりすることが知られている。そのため紙保持部材を簡単に装着できることが求められている。特許文献１では、棒状部材を紙保持部材として使用し、装置に設けられた穴に挿し込んで装着する。
【先行技術文献】
【特許文献】
【０００３】
【特許文献１】特開２０００−２５９５９号公報
【発明の概要】
【発明が解決しようとする課題】
【０００４】
しかしながら、特許文献１のように装置に設けられた穴に棒状部材を挿し込む方式では、装置の外装面に挿し込み穴を設ける必要があり、デザイン性を損なうだけでなく、その挿し込み穴に埃等のゴミが入り込むことがあるため清掃が必要である。また、棒状部材の端部は挿し込むための突起が設けられるため装置の挿し込み穴に嵌合するまでの作業中に思わず棒状部材の突起が服等に引っ掛かってしまうことがある。
【０００５】
本発明は前記課題を解決するものであり、その目的とするところは、特別な工具を使用せずにシート保持トレイを装置本体に簡単に装着可能なシート搬送装置を提供するものである。
【課題を解決するための手段】
【０００６】
前記目的を達成するための本発明に係るシート搬送装置の代表的な構成は、シートを搬送する搬送部を有するシート搬送装置において、装置本体の外装部に設けられた、くびれ形状部と、前記くびれ形状部に対して係合可能な無端状の輪っか形状部を有するシート保持トレイと、を有することを特徴とする。
【発明の効果】
【０００７】
本発明によれば、特別な工具を使用せずにシート保持トレイを装置本体に簡単に装着可能である。
【図面の簡単な説明】
【０００８】
【図１】画像形成装置の構成を示す斜視図である。
【図２】画像形成装置の構成を示す断面図である。
【図３】画像形成装置の構成を示す正面図である。
【図４】図３に示すＢ部分の拡大図である。
【図５】画像形成装置の構成を示す右側面図である。
【図６】図５に示すＤ部分の拡大図である。
【図７】補助トレイの構成を示す斜視図である。
【図８】画像形成装置のマルチ給送部を開き、補助トレイを装着した状態を示す斜視図である。
【図９】画像形成装置のマルチ給送部を開き、補助トレイを装着した状態を示す平面図である。
【図１０】図９のＡ−Ａ断面図である。
【図１１】補助トレイを装置本体に装着した際に補助トレイに作用する力を示す図である。
【図１２】長尺状のシートの後端部を補助トレイにセットし、先端部をマルチトレイにセットした様子を示す画像形成装置の正面図である。
【図１３】装置本体に対して補助トレイを装着した状態で右扉を回動させたときの右扉の回動軌跡を示す画像形成装置の正面図である。
【発明を実施するための形態】
【０００９】
図により本発明に係るシート搬送装置、画像形成装置の一実施形態を具体的に説明する。
【００１０】
〔第１実施形態〕
先ず、図１〜図１３を用いて本発明に係るシート搬送装置、画像形成装置の第１実施形態の構成について説明する。
【００１１】
＜画像形成装置＞
図１及び図２を用いて本発明に係るシート搬送装置を備えた画像形成装置３の構成について説明する。図１は、画像形成装置３の構成を示す斜視図である。図２は、画像形成装置３の構成を示す断面図である。図１及び図２に示す画像形成装置３は、電子写真方式を用いたカラーレーザプリンタの一例である。図１及び図２に示す画像形成装置３の下部には、給送カセット４が設けられている。給送カセット４内には紙等のシートＳが収容されている。
【００１２】
給送カセット４内に収容されたシートＳは、給送ローラ１４により繰り出される。給送ローラ１４により繰り出されたシートＳは、図示しない分離手段により１枚ずつ分離されて搬送路１５に搬送される。搬送路１５に搬送されたシートＳは、停止したレジストレーションローラ１６のニップ部に先端部が突き当てられて斜行が補正される。レジストレーションローラ１６は、シートＳのレジストを合わせてシートＳを二次転写ニップ部Ｎに搬送する。
【００１３】
＜画像形成部＞
給送ローラ１４の上方には、シートＳに画像を形成する画像形成部を構成するイエローＹ、マゼンタＭ、シアンＣ、ブラックＫの各色に対応する４個のプロセスカートリッジ１Ｙ，１Ｍ，１Ｃ，１Ｋが設けられている。尚、説明の都合上、各プロセスカートリッジ１Ｙ，１Ｍ，１Ｃ，１Ｋを代表してプロセスカートリッジ１を用いて説明する場合もある。他の画像形成プロセス手段についても同様である。
【００１４】
各プロセスカートリッジ１の上方には、中間転写ユニット７０が設けられている。中間転写ユニット７０は、各プロセスカートリッジ１に対向するように配置されている。中間転写ユニット７０は、中間転写ベルト８を備えている。中間転写ベルト８は、二次転写対向ローラ１０とテンションローラ１１とにより張架されて図２の反時計回り方向に回転駆動される。
【００１５】
中間転写ベルト８の内周面側には、一次転写手段としての各一次転写ローラ５が設けられている。中間転写ベルト８を介在してテンションローラ１１に対向する位置には、クリーニング手段としてのクリーニング装置１７が設けられている。
【００１６】
中間転写ベルト８を介在して二次転写対向ローラ１０に対向して二次転写手段としての二次転写ローラ１２が設けられている。中間転写ベルト８の外周面と二次転写ローラ１２とにより二次転写ニップ部Ｎが形成されている。二次転写ニップ部Ｎの上部には、定着手段としての定着装置２０が設けられている。
【００１７】
定着装置２０の左上部には、排出ローラ２２が設けられている。排出ローラ２２の上部には、反転ローラ２４が設けられている。符号２５は、両面搬送路である。符号２６は、フラッパである。給送カセット４とは別に種々のシートＳを給送することができるマルチ給送部９が設けられている。マルチ給送部９は、紙等のシートＳを搬送する搬送部としての給送ローラ３０を有するシート搬送装置として構成される。
【００１８】
マルチ給送部９は、図１に示す画像形成装置３の右側に設けられている。マルチ給送部９の給送ローラ３０により給送されたシートＳは、搬送路１５に合流した後、レジストレーションローラ１６に搬送される。それ以降は、給送カセット４からレジストレーションローラ１６に搬送されたシートＳと同様に搬送される。
【００１９】
図１３に示すように、画像形成装置３の装置本体３ａに対して開閉可能な右扉５０が設けられている。右扉５０は、図示しない回動中心を中心にして装置本体３ａに対して回動する。右扉５０を開放して内部ユニットの交換や紙詰まり等の処置をすることができる。また、図８に示すように、右扉５０には、マルチ給送部９の給送ローラ３０に紙等のシートＳを送るためにシートＳをセットするためのマルチトレイ５１が右扉５０に対して開閉可能に設けられている。マルチトレイ５１は、図示しない回動中心を中心にして右扉５０に対して回動する。
【００２０】
画像形成装置３の上部には、天面カバー９１が設けられている。天面カバー９１は装置本体３ａの外装部として構成される。天面カバー９１の上面には、操作部１００が設けられている。操作部１００には、画像形成装置３の状態等を表示可能な表示パネル１０５や制御入力が可能な操作キー１０６等が設けられている。
【００２１】
＜画像形成動作＞
次に、図２を用いて画像形成装置３の画像形成動作について説明する。各プロセスカートリッジ１に設けられた像担持体としての各感光ドラム２は、図２の時計回り方向に回転し、各プロセスカートリッジ１に設けられた帯電手段としての図示しない帯電ローラにより表面が一様に帯電される。一様に帯電された各感光ドラム２の表面には、露光手段としてのレーザスキャナ７から各色の画像情報に応じた図示しないレーザ光が照射されて静電潜像が形成される。
【００２２】
各感光ドラム２の表面に形成された静電潜像には、各プロセスカートリッジ１に設けられた現像手段としての図示しない現像装置により各色の現像剤としてのトナーが供給されてトナー像として現像される。
【００２３】
図示しない一次転写電源から各一次転写ローラ５に一次転写電圧が印加される。これにより各感光ドラム２の表面に形成されたトナー像が中間転写ベルト８の外周面上に順次転写されて重畳される。転写後に各感光ドラム２の表面に残留した残トナーは、クリーニング手段としての図示しないクリーニングブレードにより掻き取られて回収される。
【００２４】
一方、給送カセット４内に収容されたシートＳは、給送ローラ１４により一枚ずつ給送された後、停止したレジストレーションローラ１６のニップ部に突き当てられてシートＳの斜行が補正される。中間転写ベルト８の外周面上に転写されたトナー像の画先が二次転写ニップ部Ｎに到達するタイミングでシートＳの先端部が二次転写ニップ部Ｎに到達するようにレジストレーションローラ１６によりシートＳが搬送される。
【００２５】
図示しない二次転写電源から二次転写ローラ１２に二次転写電圧が印加される。これにより二次転写ニップ部Ｎにおいて、中間転写ベルト８の外周面上に転写されたトナー像が一括してシートＳに転写される。
【００２６】
トナー像が担持されたシートＳは、定着装置２０に設けられた加熱ユニット２０ａと加圧ローラ２０ｂとにより挟持搬送される間に加熱及び加圧されてトナー像がシートＳに定着される。トナー像が定着されたシートＳを排出トレイ９０上に排出する場合には、フラッパ２６によりシートＳを排出ローラ２２が設けられた搬送路に導く。シートＳは、排出ローラ２２により挟持搬送されて排出トレイ９０上に排出される。
【００２７】
シートＳの両面に画像を形成する場合には、図２に示すフラッパ２６を時計回り方向に回動させてフラッパ２６によりシートＳを反転ローラ２４が設けられた搬送路に導く。反転ローラ２４に挟持されたシートＳの進行方向の後端部が分岐点１３を通過すると、反転ローラ２４を逆回転させる。これによりシートＳは、両面搬送路２５に導かれる。
【００２８】
両面搬送路２５を搬送されたシートＳは、搬送路１５に合流する。その間に、シートＳの表裏面が反転する。その後、レジストレーションローラ１６によりシートＳが搬送されて前述したと同様にシートＳの第２面に画像が形成され、定着装置２０により定着された後、排出ローラ２２により排出トレイ９０上に排出される。
【００２９】
マルチ給送部９のマルチトレイ５１から給送ローラ３０により給送されたシートＳも搬送路１５に合流した後、レジストレーションローラ１６によりシートＳが搬送されて前述したと同様にシートＳに画像が形成される。その後、定着装置２０により定着される。その後、フラッパ２６によりシートＳを排出ローラ２２が設けられた搬送路に導くか、反転ローラ２４が設けられた搬送路に導くかが選択される。それ以降は、前述したと同様であるため重複する説明は省略する。
【００３０】
＜操作部と天面カバーとの間の凹部＞
図３は、画像形成装置３の構成を示す正面図である。図４は、図３に示すＢ部分の拡大図である。図３及び図４に示すように、画像形成装置３の上部には、天面カバー９１が設けられ、その天面カバー９１の上部に操作部１００が設けられている。操作部１００と天面カバー９１との間で左右両側には、規制壁１０２Ｌ、１０２Ｒが設けられている。
【００３１】
規制壁１０２Ｌ、１０２Ｒにより操作部１００は、天面カバー９１に対して、装置本体３ａの上下方向に隙間Ｈを空けて設置されている。規制壁１０２Ｌ、１０２Ｒは、操作部１００の左右両側の外周面１００Ｌ，１００Ｒからそれぞれ内側に隙間Ｗの位置に設けられている。これにより天面カバー９１と操作部１００との間には、装置本体３ａの左右方向に操作部１００の外周面１００Ｌ，１００Ｒからそれぞれ内側に隙間Ｗで装置本体３ａの上下方向に隙間Ｈの凹部１０１Ｌ，１０１Ｒが形成される。
【００３２】
図５は、画像形成装置３の構成を示す右側面図である。図６は、図５に示すＤ部分の拡大図である。図６に示すように、操作部１００と天面カバー９１との間で装置本体３ａの後ろ側には、規制壁１０２Ｂが設けられている。規制壁１０２Ｂにより操作部１００は、天面カバー９１に対して、装置本体３ａの上下方向に隙間Ｈを空けて設置されている。規制壁１０２Ｂは、操作部１００の後ろ側の外周面１００Ｂから内側に隙間Ｗの位置に設けられている。これにより天面カバー９１と操作部１００との間には、装置本体３ａの前後方向に操作部１００の後ろ側の外周面１００Ｂから内側に隙間Ｗで装置本体３ａの上下方向に隙間Ｈの凹部１０１Ｂが形成される。
【００３３】
また、図示しないが、操作部１００と天面カバー９１との間で装置本体３ａの前側にも、規制壁１０２Ｆが設けられている。規制壁１０２Ｆにより操作部１００は、天面カバー９１に対して、装置本体３ａの上下方向に隙間Ｈを空けて設置されている。規制壁１０２Ｆは、操作部１００の前側の外周面１００Ｆから内側に隙間Ｗの位置に設けられている。これにより天面カバー９１と操作部１００との間には、装置本体３ａの前後方向に操作部１００の前側の外周面１００Ｆから内側に隙間Ｗで装置本体３ａの上下方向に隙間Ｈの凹部１０１Ｆが形成される。
【００３４】
このように、操作部１００の全周に渡って凹部１０１Ｌ，１０１Ｒ，１０１Ｂ，１０１Ｆが形成されている。凹部１０１Ｌ，１０１Ｒ，１０１Ｂ，１０１Ｆは、装置本体３ａの外装面としての天面カバー９１の上面９１ａと操作部１００との間に設けられている。凹部１０１Ｌ，１０１Ｒ，１０１Ｂ，１０１Ｆが装置本体３ａの外装部に設けられた、くびれ形状部として構成される。
【００３５】
本実施形態では、凹部１０１Ｌ，１０１Ｒ，１０１Ｂ，１０１Ｆが一定の大きさで操作部１００の全周に渡って設けられている。他に、凹部１０１Ｌ，１０１Ｒ，１０１Ｂ，１０１Ｆの形状や大きさは、これに限定されず、シート保持トレイとしての補助トレイ１１０の係合部１１２〜１１４と係合する部位にだけ凹部を設けても良い。また、各凹部１０１Ｌ，１０１Ｒ，１０１Ｂ，１０１Ｆの大きさは一定でなくても良い。
【００３６】
＜補助トレイ＞
図７は、補助トレイ１１０の構成を示す斜視図である。図７に示す補助トレイ１１０は、長尺状のシートＳ１を装置本体３ａの内部に給送するマルチ給送部９に設けられる。補助トレイ１１０は、１０００ｍｍ程度の長尺状のシートＳ１を画像形成装置３にセットする際に使用する。補助トレイ１１０は、針金を用いて作成されており、装置本体３ａへの取付部１１１は、くびれ形状部としての各凹部１０１Ｌ，１０１Ｒ，１０１Ｂ，１０１Ｆに対して係合可能な無端状の輪っか形状部として構成される。取付部１１１には、装置本体３ａの各凹部１０１Ｌ，１０１Ｒ，１０１Ｂ，１０１Ｆと係合する係合部１１２〜１１４と、天面カバー９１の右側面９１Ｒに当接する垂下部１２０とが設けられている。
【００３７】
また、補助トレイ１１０には、補助トレイ１１０に長尺状のシートＳ１をセットした際にシートＳ１を下から支持する支持部１１８，１１９が設けられている。更に、補助トレイ１１０には、長尺状のシートＳ１の後端部の位置を規制する規制部１１７と、シートＳ１の両側端部の位置を規制する１１５，１１６が設けられている。
【００３８】
本実施形態では補助トレイ１１０の材料として針金を用いているが、補助トレイ１１０の材料は、これに限定されずプラスチック等を用いても良い。また、補助トレイ１１０の形状は、これに限定されず、例えば、取付部１１１は、丸形状でも多角形状でも曲線部を含む形状であっても良い。規制部１１５〜１１７の形状も同様に本実施形態の形状に限定されず、丸形状でも多角形状でも曲線部を含む形状であっても良い。
【００３９】
図８は、画像形成装置３のマルチ給送部９を開き、補助トレイ１１０を操作部１００と天面カバー９１との間に設けた凹部１０１Ｌ，１０１Ｒ，１０１Ｂ，１０１Ｆに装着した状態を示す斜視図である。図９は、画像形成装置３のマルチ給送部９を開き、補助トレイ１１０を操作部１００と天面カバー９１との間に設けた凹部１０１Ｌ，１０１Ｒ，１０１Ｂ，１０１Ｆに装着した状態を示す平面図である。
【００４０】
図８及び図９に示すように、画像形成装置３のマルチトレイ５１を回動してマルチ給送部９を開く。更に、マルチトレイ５１内に格納されていた延長トレイ５２を引き出し、更に、延長トレイ５２内に格納されていた延長展開トレイ５３を開く。延長展開トレイ５３は、延長トレイ５２に対して図示しない回動中心を中心にして回動可能に設けられている。
【００４１】
図１０は、図９のＡ−Ａ断面図である。図１０に示すように、補助トレイ１１０は、装置本体３ａの天面カバー９１と操作部１００との間に設けられた凹部１０１Ｌ，１０１Ｒ，１０１Ｂ，１０１Ｆに係合部１１２〜１１４を係合する。そして、天面カバー９１の右側面９１Ｒに垂下部１２０を当接して支持されている。
【００４２】
図１０では、天面カバー９１と操作部１００との間に設けられた凹部１０１Ｌに補助トレイ１１０の係合部１１２を係合し、天面カバー９１の右側面９１Ｒに垂下部１２０を当接した様子を示す。補助トレイ１１０の他の係合部１１３，１１４も同様に天面カバー９１と操作部１００との間に設けられた凹部１０１Ｒ，１０１Ｂ，１０１Ｆに係合している。
【００４３】
図９に示すように、操作部１００には、画像形成装置３の状況を表示する表示パネル１０５と、制御入力等が可能な操作キー１０６が設けられている。補助トレイ１１０の無端状の輪っか形状部としての取付部１１１を、装置本体３ａのくびれ形状部としての凹部１０１Ｌ、１０１Ｒ，１０１Ｂ，１０１Ｆに係合して補助トレイ１１０を装置本体３ａに取り付ける。その状態において、補助トレイ１１０は、操作部１００に設けられている表示パネル１０５及び操作キー１０６に上方から見下ろして重ならない。
【００４４】
また、補助トレイ１１０の取付部１１１は、操作部１００の上面１００ａから上方に突出することもない。これにより装置本体３ａに補助トレイ１１０を装着した状態であっても表示パネル１０５に表示される内容の確認や操作キー１０６による入力操作への支障がない。
【００４５】
図１１は、補助トレイ１１０を装置本体３ａに装着した際に補助トレイ１１０に作用する力Ｆを示す図である。図１１は、補助トレイ１１０の係合部１１２〜１１４が天面カバー９１と操作部１００との間に設けられた凹部１０１Ｌ，１０１Ｒ，１０１Ｂ，１０１Ｆに係合している状態を操作部１００を省略して天面カバー９１を上から見た図である。
【００４６】
補助トレイ１１０の取付部１１１が凹部１０１Ｌ，１０１Ｒ，１０１Ｂ，１０１Ｆに係合し、係合部１１２は、規制壁１０２Ｌと接触し、補助トレイ１１０は、規制壁１０２Ｌから反力Ｆ１を受ける。また、係合部１１３は、規制壁１０２Ｂと接触し、補助トレイ１１０は、規制壁１０２Ｂから反力Ｆ２を受ける。また、係合部１１４は、規制壁１０２Ｆと接触し、補助トレイ１１０は、規制壁１０２Ｆから反力Ｆ３を受ける。
【００４７】
これら３つの接触部からそれぞれ受ける反力Ｆ１，Ｆ２，Ｆ３の３方向は、図１１に示す装置本体３ａのＸ−Ｙ座標系において、互いに打ち消し合う関係となるため力の釣り合いが取れる。補助トレイ１１０の垂下部１２０は、天面カバー９１の右側面９１Ｒに当接する。これにより補助トレイ１１０は、装置本体３ａに対して安定した位置に固定される。
【００４８】
図１２は、長尺状のシートＳ１の後端部を補助トレイ１１０にセットし、長尺状のシートＳ１の先端部をマルチトレイ５１にセットした様子を示す画像形成装置３の正面図である。図１２は、全長が１０００ｍｍの長尺状のシートＳ１を補助トレイ１１０とマルチトレイ５１にセットした際の画像形成装置３の正面図である。
【００４９】
図１２に示すように、装置本体３ａに対してマルチトレイ５１を回動させて開き、マルチトレイ５１内に収納されていた延長トレイ５２を引き出し、更に、延長トレイ５２に対して延長展開トレイ５３を回動させて起立させる。
【００５０】
長尺状のシートＳ１の後端部は、一巻きして補助トレイ１１０の支持部１１８，１１９上に載置している。支持部１１８，１１９は、長尺状のシートＳ１を重力方向に保持する保持部として構成される。長尺状のシートＳ１の後端部は、支持部１１８，１１９に対して起立した規制部１１７によって規制される。規制部１１７は、長尺状のシートＳ１の搬送方向と直交する一端部としての長尺状のシートＳ１の後端部を規制する第一の規制部として構成される。規制部１１７により長尺状のシートＳ１が補助トレイ１１０からずり落ちることを防止している。
【００５１】
また、長尺状のシートＳ１の両側端部は、支持部１１８，１１９に対して起立した規制部１１５，１１６によって装置本体３ａの前後方向の位置が規制される。規制部１１５，１１６は、長尺状のシートＳ１の搬送方向に沿った両側端部の位置を規制する第二の規制部として構成される。規制部１１５，１１６により長尺状のシートＳ１を正しい位置にセットすることが出来、マルチ給送部９から長尺状のシートＳ１を安定して給送できる。
【００５２】
図１３は、装置本体３ａに対して補助トレイ１１０を装着した状態で右扉５０を回動させたときの回動軌跡５０ａを示す画像形成装置３の正面図である。図１３に示すように、装置本体３ａに対して、図示しない回動中心を中心に回動して開閉可能な右扉５０が設けられている。
【００５３】
補助トレイ１１０の無端状の輪っか形状部としての取付部１１１を、装置本体３ａのくびれ形状部としての凹部１０１Ｌ、１０１Ｒ，１０１Ｂ，１０１Ｆに係合して補助トレイ１１０を装置本体３ａに取り付ける。その状態において、補助トレイ１１０は、右扉５０の動作領域としての回動軌跡５０ａと重ならない位置に配置される。即ち、装置本体３ａに取り付けられた補助トレイ１１０は、右扉５０の回動軌跡５０ａの外側に配置される。これにより装置本体３ａに対して補助トレイ１１０を装着した状態でも右扉５０を自由に開閉可能であり、右扉５０を開放した状態で紙詰まり処理等の操作を行う際に装置本体３ａに装着した補助トレイ１１０が邪魔になることがない。
【００５４】
このように本実施形態では、特許文献１のように、外装面に穴を設けることなく、針金等の棒状部材からなる補助トレイ１１０を特別な工具を用いることなく、装置本体３ａに対して容易に取付けることが可能となる。外装面に穴を設ける必要が無いため埃等のゴミが穴に入り込むことがなく、清掃も不要である。更に、外装面に穴の無いデザイン性の優れた意匠を実現出来る。
【００５５】
また、棒状部材からなる補助トレイ１１０が無端状の輪っか形状であることから装置本体３ａに対して補助トレイ１１０を装着する作業途中で補助トレイ１１０がユーザの服等に引っ掛かることがなく、安全性及び作業性に優れる。また、補助トレイ１１０が棒状部材で構成されているため面を有した部材と比較して補助トレイ１１０により向こう側の視界が遮られる領域が少ない。このため補助トレイ１１０の向こう側の視認性が良く、装置本体３ａに対して補助トレイ１１０を装着した状態でも補助トレイ１１０の向こう側が見渡せるためユーザへの圧迫感が少ない。
【００５６】
＜他の実施形態＞
前記実施形態では、画像形成装置３の装置本体３ａに対して補助トレイ１１０を装着した場合の一例について説明した。また、マルチ給送部９をシート搬送装置としたとき、装置本体３ａがシート搬送装置の装置本体を兼ねる。そして、シート搬送装置の装置本体に対して補助トレイ１１０を装着するものとすることができる。シート搬送装置としては、他に、多くのシートＳを格納可能で画像形成装置３へシートＳを供給するシート搬送装置にも適用可能である。更に、画像形成装置３からシートＳを受け取った後、各種の処理等を行うシート搬送装置にも適用可能である。これらのシート搬送装置の装置本体に対しても同様に補助トレイ１１０を装着する構成とすることができる。
【００５７】
これらの場合、シート搬送装置の天面カバーと、前述した操作部１００に代わる部材との間に前述したと同様に、くびれ形状部としての凹部を設ける。更に、前述した規制壁１０２Ｌ、１０２Ｒ，１０２Ｂ，１０２Ｆに代わる規制壁を設ける。そして、補助トレイ１１０の輪っか形状部としての取付部１１１を前記凹部内に挿入して係合させる。そして、補助トレイ１１０の垂下部１２０をシート搬送装置の側面に当接して補助トレイ１１０をシート搬送装置の装置本体に対して装着することができる。
【００５８】
また、前記第１実施形態では、補助トレイ１１０をマルチ給送部９に設けた一例であるが、シートＳを装置本体３ａから外部に排出する排出部に補助トレイ１１０を設けることでも良い。装置本体３ａの排出口から排出されるシートＳを保持するために装置本体３ａに対して着脱可能に補助トレイ１１０を設置する。その場合、本実施形態で説明したように、無端の輪っか形状の取付部１１１が設けられた補助トレイ１１０と、その取付部１１１が係合するための凹部を装置本体３ａに設ける。これにより補助トレイ１１０を装置本体３ａに対して容易に着脱可能になり、装置本体３ａから排出されたシートＳを受ける補助トレイ１１０を提供可能である。
【符号の説明】
【００５９】
Ｓ１…長尺状のシート
３ａ…装置本体
３０…給送ローラ（搬送部）
９１…天面カバー（外装部）
１０１Ｌ、１０１Ｒ，１０１Ｂ，１０１Ｆ…凹部（くびれ形状部）
１１０…補助トレイ（シート保持トレイ）
１１１…取付部（無端状の輪っか形状部）
【図１】
2020183304.tif 000003
【図２】
2020183304.tif 000004
【図３】
2020183304.tif 000005
【図４】
2020183304.tif 000006
【図５】
2020183304.tif 000007
【図６】
2020183304.tif 000008
【図７】
2020183304.tif 000009
【図８】
2020183304.tif 000010
【図９】
2020183304.tif 000011
【図１０】
2020183304.tif 000012
【図１１】
2020183304.tif 000013
【図１２】
2020183304.tif 000014
【図１３】
2020183304.tif 000015